(57)【要約】【課題】  本発明は、ディスク装置において、適切な契機で各種調整を実施することを可能にする調整実施契機決定方法を提供することを課題とする。【解決手段】  温度と併せて、光ディスクへの記録データ量または記録時間、または光ディスクからの再生データ量または再生時間を監視し、各種調整の実施を判断する。温度センサーを通じて得られる温度に変化が見られない場合であっても、記録または再生したデータ量が所定量以上となった場合に各種調整が実施される。また、記録／再生データ量が所定量に達していない場合であっても、所定の温度変化量が検出されれば各種調整が実施される。【選択図】  図１
2009037713.tif 000002
【特許請求の範囲】
【請求項１】
ディスク装置において実施される各種調整の実施契機の決定方法であって、
温度と、ディスクに記録されるデータ、またはディスクから再生されたデータ量とを監視し、
何れかに所定量の変化があった場合に調整の実施を決定する
ことを特徴とする調整実施方法。
【請求項２】
ディスク装置において実施される各種調整の実施契機の決定方法であって、
温度と、データ記録処理時間、またはデータ再生処理時間とを監視し、
何れかに所定量の変化があった場合に調整の実施を決定する
ことを特徴とする調整実施方法。
【請求項３】
請求項１に記載の調整実施方法であって、
ＥＣＣブロックを単位とする記録処理、またはＥＣＣブロックを単位とする再生処理の実行毎に、
温度と、ディスクに記録されるデータ、またはディスクから再生されたデータ量とを監視することを特徴とする調整実施方法。
【請求項４】
請求項２に記載の調整実施方法であって、
ＥＣＣブロックを単位とする記録処理、またはＥＣＣブロックを単位とする再生処理の実行毎に、
温度と、記録処理時間、または再生処理時間を監視する
ことを特徴とする調整実施方法。
【請求項５】
装置内部の温度を測定する温度センサーを備えたディスク装置であって、
温度と、ディスクに記録されるデータ、またはディスクから再生されたデータ量とを監視し、
何れかに所定量の変化があった場合に調整の実施を決定する制御手段を有する
ことを特徴とするディスク装置。
【請求項６】
装置内部の温度を測定する温度センサーを備えたディスク装置であって、
温度と、記録処理時間、または再生処理時間とを監視し、
何れかに所定量の変化があった場合に調整の実施を決定する制御手段を有する
ことを特徴とするディスク装置。
【請求項７】
請求項５に記載のディスク装置であって、
前記制御手段は、ＥＣＣブロックを単位とする記録処理、またはＥＣＣブロックを単位とする再生処理の実行毎に、
温度と、ディスクに記録されデータ、またはディスクから再生されたデータ量とを監視することを特徴とするディスク装置。
【請求項８】
請求項６に記載のディスク装置であって、
前記制御手段は、ＥＣＣブロックを単位とする記録処理、またはＥＣＣブロックを単位とする再生処理の実行毎に、
温度と、記録処理時間、または再生処理時間を監視する
ことを特徴とするディスク装置。
【発明の詳細な説明】
【技術分野】
【０００１】
本発明は、ディスク装置における調整実施方法に関する。
【背景技術】
【０００２】
ディスク装置おいて温度を監視し、温度変化量に応じて各種調整を実施することが考案されている。特許文献１にはその一例が記載されている。
【０００３】
【特許文献１】特開２００２−１０９７７２号公報
【発明の開示】
【発明が解決しようとする課題】
【０００４】
本発明は、ディスク装置において、適切な契機で各種調整を実施することを可能にする調整実施契機決定方法を提供することを課題とする。
【０００５】
ディスク装置では、安定に記録及び再生を行なえるよう各種調整が実施される。例えば、光ディスク装置においては、レーザービームをディスクに適切に集光させるためのフォーカス調整、レーザービームがディスクに対して適切な角度で照射されるようにする対物レンズのチルト調整、ディスクに品質良くデータを記録するためのレーザーパワー調整、などが実施される。調整を実施することで、良好な状態で記録及び再生が実施されるようになるが、重要なことは、適切な契機で調整を実施することである。
【０００６】
各種調整の実施契機を決定するやり方として、温度に基づく方法が挙げられる。ディスク装置に搭載さる各種部品やディスクは、温度によって特性が変わる。これの特性を踏まえ、所定の温度変化量を検出した時に各種調整を実施するというものである。この時、ディスク装置において、特に温度に対して敏感に特性が変化する部品の近傍の温度を監視することが一般的である。例えば、光ディスク装置においては、光ピックアップ内のレーザーの近傍に温度センサーが設置され、レーザー近傍の温度が監視される。
【０００７】
上記のように、温度に基づき各種調整を実施することは有効ではある。が、当然のことながら、温度が一定の場合は、温度変化量が検出されないため、調整が実施されることはない。それ故、この方法には、以下に述べる問題点がある。
【０００８】
部品の配置の関係などから温度監視対象物から若干離れた位置に温度センサーを設置せざるを得ないことが通常である。そのため、温度センサーを通じて得られる温度は、ほぼ温度監視対象物の温度となるが、厳密には温度監視対象物そのものの温度とはならない。ディスク装置において記録や再生を行なうと、各種部品が動作することで少なからず熱が発生する。また、ディスク装置内の温度は、必ずしも均一とはならない。そのため、温度センサーを通じては温度変化量が無い、即ち部品の特性変化が無いように見えても、実際には部品の特性変化が生じ、記録及び再生を行なう状態が適正でなくなる場合がある。
【課題を解決するための手段】
【０００９】
上記目的は、特許請求の範囲に記載の発明により達成される。
【発明の効果】
【００１０】
ディスク装置において、適切な契機で各種調整を実施することができるようになり、良好な状態で記録処理及び再生処理を行なえるようになる。
【発明を実施するための最良の形態】
【００１１】
上記課題を解消するために、本発明は、温度の監視と併せて、記録または再生したデータ量（以下、記録／再生データ量と呼ぶ）を監視し、データ量によっても各種調整の実施契機を管理する方法である。本発明によれば、温度センサーを通じて得られる温度に変化が見られない場合であっても、記録または再生したデータ量が所定量以上となった場合に各種調整が実施される。また、記録／再生データ量が所定量に達していない場合であっても、所定の温度変化量が検出されれば各種調整が実施される。実際に調整を実施した場合は、再び温度と記録及び再生したデータの量を監視し、調整実施以後に所定の温度変化量が生じたか、または、調整実施以後に所定データの記録または再生を行なった時に再び各種調整を実施する。このような動作を繰り返すことで常に良好な状態で記録及び再生を行なうことが出来る。
【００１２】
また、データの記録または再生を行なうと時間が経過するので、本発明では、記録／再生データ量に代わりに、記録または再生をおこなった時間（以下、記録／再生時間と呼ぶ）を温度と併せて監視し、所定の温度変化量を検出したか、または所定時間以上の記録または再生を行なった場合に各種調整を実施する。
【００１３】
なお、ディスク装置において実施される各種調整は、データの記録及び再生を適正な状態で行なうことを目的としたものであるので、記録または再生の動作と同期して実施することが重要である。本発明は、温度変化量と記録／再生データ量、または、温度変化量と記録／再生時間、これらの確認を実際にデータの記録または再生を行なう場合に実施するようにする。
【００１４】
ディスクに記録されるデータは、所定量ごとに区切られ、区切られた単位でエラー訂正符号が付加される。エラー訂正符号が付加された一区切りのデータをＥＣＣブロックと呼び、このＥＣＣブロックは、ディスクへのデータ記録や、ディスクからのデータ再生の基本単位となる。本発明は、このＥＣＣブロックを記録または再生を行なう直前に、温度変化量と記録／再生データ量、または記録／再生時間を確認し、確認した全てに、または何れかに所定の変化が認められた場合に各種調整の実施するようにする。
【００１５】
なお、ディスク装置の適用分野によっては、調整の実施が必要であると判断された場合に、直ちに調整を実施することが許されない場合がある。例えば、映像や音声をリアルタイムに記録するビデオホストなどに適用されるディスク装置においてである。このようなリアルタイムシステムでは、調整を実施する都合でディスク装置における記録または再生を中断すると、リアルタイム性が損なわれてしまう。そこで、本発明では、このようなシステムにおいては、調整を実施が許される機会を利用して温度変化量と記録／再生データ量、または温度変化量と記録／再生時間を確認し、確認した全てに、または何れかに所定の変化が認められた場合に各種調整の実施するようにする。
【００１６】
ただし、記録中または再生中に実施可能な調整については、記録または再生を停止する必要がないので、リアルタイムシステムにおいても、温度変化量と記録／再生データ量、または記録／再生時間を確認した時に、確認した全てに、または何れかに所定量の変化が認められれば、即座に調整の実施してもよい。
【００１７】
上記本発明は、例えば、図１に示す光ディスク装置において実施することができる。
【００１８】
図１に示す光ディスク装置は、１０１をもって示すディスク、１０２をもって示すスピンドルモータ、１０３をもって示す光ピックアップ、１０４をもって示すアナログ信号処理手段、１０５をもって示すデジタル信号処理手段、１０６をもって示すバッファメモリ、１０７をもって示すホストインタフェース、１０８をもって示すコースモータ、１０９をもって示すサーボ手段、１１０をもって示す制御手段、以上によって構成される。
【００１９】
本発明における温度変化量と、記録／再生データ量は、制御手段１１０において監視される。
【００２０】
温度変化量は、温度センサーを通じて得られるが、図１の光ピックアップ１０３に温度センサーを設置しておけば、温度センサーの出力がアナログ信号処理手段１０４を経て制御手段１１０に伝わり、制御手段１１０における温度監視が実現される。
【００２１】
記録／再生データ量は、実際に光ディスク１０１に記録したデータ量、または光ディスク１０１から再生したデータ量と置くことができる。記録及び再生を行なう際のデータ量は、制御手段１１０が管理し、実際の記録・再生処理についても、記録・再生処理に必要な部位を制御手段１１０が制御することで達成される。
【００２２】
図１の光ディスク装置において光ディスク１０１へのデータの記録を行なう場合は、ホストインタフェース１０７を通じて光ディスク装置のホスト装置からデータが送られてくる。このデータは、デジタル信号処理手段１０５を介してバッファメモリ１０６に一時的に蓄積される。バッファメモリ１０６に蓄積されるデータは、制御手段１１０によって監視され、蓄積されるデータが所定量に到達すると制御手段１１０の制御の下、デジタル信号処理手段１０５に送られる。デジタル信号処理手段１０５では、バッファメモリ１０６から受け取ったデータに変調処理を施すなどした上で、そのデータを光ピックアップ１０３に送る。データを受け取った光ピックアップ１０３では、データに基づいてレーザーが駆動され、記録用レーザービームが光ディスク１０１に照射されるようになる。
【００２３】
これと同時に制御手段１１０は、サーボ手段１０９を通じてスピンドルモータ１０２、コースモータ１０８、及び光ピックアップ１０３を制御し、光ディスク１０１を所定の回転数で回転させ、光ピックアップ１０３から発せられるレーザービームが光ディスク１０１のデータを記録すべき位置に集光されるようになる。
【００２４】
以上に述べた制御手段１１０の制御によって光ディスク１０１へのデータの記録が達成されるが、光ディスク１０１に１ＥＣＣブロックのデータが記録される毎に、デジタル信号処理手段１０５から制御手段１１０に対して報告がなされる。制御手段１１０では、この報告によって、光ディスク１０１に記録されるデータ量の監視が達成される。
【００２５】
図１の光ディスク装置において光ディスク１０１からデータの再生を行なう場合は、ホスト装置の要求する光ディスク１０１の読み出し位置が、ホストインタフェース１０７を通じて制御手段１１０に知らされる。この知らせを受けた制御手段１１０は、サーボ手段１０９を通じてスピンドルモータ１０２、コースモータ１０８、及び光ピックアップ１０３を制御し、光ディスク１０１を所定の回転数で回転させ、光ピックアップ１０３から発せられるレーザービームが、光ディスク１０１からデータを再生すべき位置に集光されるようになる。
【００２６】
光ディスク１０１に照射されたレーザービームの反射光は、光ピックアップ１０３において電気信号に変換され、その電気信号はアナログ信号処理手段１０４において信号振幅の調整などの処理が施された上で、デジタル信号処理手段１０５に送られる。
【００２７】
デジタル信号処理手段１０５では、送られてきた信号からデータが復元され、復元されたデータは一時的にバッファメモリ１０６に蓄積される。バッファメモリ１０６に蓄積されたデータは、制御手段１１０によって監視され、データ量が所定量に達すると、制御手段１１０は、デジタル信号処理手段１０５に対してバッファメモリ１０６に蓄積されたデータを、ホストインタフェース１０７を通じてホスト装置に送るよう指示する。
【００２８】
以上に述べた制御手段１１０の制御によって光ディスク１０１からのデータの再生が達成されるが、光ディスク１０１から１ＥＣＣブロックのデータが記録される毎に、デジタル信号処理手段１０５から制御手段１１０に対して報告がなされる。制御手段１１０では、この報告によって、光ディスク１０１から再生されるデータ量の監視が達成される。
【００２９】
記録処理または再生処理において、制御手段１１０が監視する記録／再生データ量が所定量に到達すると、制御手段１１０は調整の種類に応じて動作させる必要のある部位を制御し、調整を実施する。なお、調整を実施するにあたり記録処理または再生処理を中断する必要がある場合は、制御手段１１０は、記録処理または再生処理に関係する部位を制御し、記録処理または再生処理を停止した上で必要となる調整を実施することとなる。記録処理、及び、再生処理の停止は、ECCブロックを単位とする境界で実施するとよい。
【００３０】
本例では、記録／再生データ量を用いて各種調整の実施を判断することを述べたが、制御手段１１０は、記録処理、及び再生処理を統括しているので、制御手段１１０に内蔵されるタイマーを用いて記録及び再生に要する時間をＥＣＣブロックを単位とする記録処理または再生処理を実行する毎に計測し、この計測した記録／再生時間によって各種調整の実施を判断してもよい。
【００３１】
以上に述べたように、本発明をディスク装置に適用すれば、各種調整処理を適切に実施できるようになり、常に良好な状態の下、記録及び再生を実施できるようになる。また、温度センサーが破損して、温度センサーから常に同じ温度が得られるようになってしまった場合においても、本発明は、記録／再生データ量、または記録／再生時間に応じて各種調整が実施される。従って、より信頼性の高いディスク装置を実現することができる。
【図面の簡単な説明】
【００３２】
【図１】本発明が実施される光ディスク装置の構成図。
【符号の説明】
【００３３】
１０１…  ディスク、  １０２…  スピンドルモータ、
１０３…  光ピックアップ、  １０４…  アナログ信号処理手段、  
１０５…  デジタル信号処理手段、  １０６…  バッファメモリ、
１０７…  ホストインタフェース、  １０８…  コースモータ、
１０９…  サーボ手段、  １１０…  制御手段、
【図１】
2009037713.tif 000003